(57)【要約】      （修正有）【課題】蓋部材の開閉を簡単に行えるとともに、蓋部材の閉状態を確実に保持することができ、デザイン性にも優れた飲料用容器の栓体を提供する。【解決手段】栓体３のヒンジ５と反対側にロック機構７を設ける。ロック機構７は、蓋部材６に設けた係合片８と、口栓部材４に設けた軸部材９により口栓部材４の内外方向に回動可能に取り付けたシーソー式のロックボタン１０と、口栓部材４の外周壁にスライド可能に設けたスライド式ストッパ１１とを備える。ロックボタン１０は、係合片８が係脱可能な係合部と、係合部を係止片８との係合方向に付勢するスプリング１３を有する。スライド式ストッパ１１は、ロックボタン１０の下部と口栓部材４の外周壁との間に挿入したときにロックボタン１０のロック解除方向への動きを規制するストッパ片１１ａと、ストッパ片１１ａの挿入位置と非挿入位置とに該スライド式ストッパを保持する突部１１ｃとを有する。【選択図】図１
2005193944.tif 000002
【特許請求の範囲】
【請求項１】
容器本体の上部開口に装着される口栓部材と、該口栓部材にヒンジにて開閉可能に連結され、口栓部材の天板に開口する抽出口を液密に覆う蓋部材とを備え、前記ヒンジと反対側に、前記蓋部材の閉状態の保持と解除とを行うロック機構を備えた飲料容器の栓体において、前記ロック機構は、前記蓋部材の回動端に設けられた係合片と、前記口栓部材の外面部に設けた軸部材により軸支されて口栓部材の内外方向に回動可能に取り付けられたロックボタンと、口栓部材の外周壁にスライド可能に設けられたスライド式ストッパとを備え、前記ロックボタンは、上部に前記係合片が係脱可能な係合部を有するとともに、該係合部を前記係止片との係合方向に付勢する付勢手段を有し、前記スライド式ストッパは、前記ロックボタンの下部と口栓部材の外周壁との間に挿入されたときに前記ロックボタンのロック解除方向への動きを規制するストッパ片と、該ストッパ片の挿入位置と非挿入位置とに該スライド式ストッパをそれぞれ保持する係止部とを有していることを特徴とする飲料用容器の栓体。
【請求項２】
前記ロックボタンの前記係止片と当接する上端面を、外周側又は内周側に向けて下降するテーパー状に形成することを特徴とする請求項１記載の飲料用容器の栓体。
【請求項３】
前記蓋部材を開方向へ付勢する付勢手段を備えていることを特徴とする請求項１記載の飲料用容器の栓体。
【発明の詳細な説明】
【技術分野】
【０００１】
本発明は、携帯用魔法瓶、水筒、スポーツドリンク用容器をはじめとする各種飲料用容器の栓体に係り、特に、使用時に蓋体をワンタッチで開くことのできる飲料容器の栓体に関する。
【背景技術】
【０００２】
従来、容器本体の上部開口に装着される口栓部材と、該口栓部材にヒンジにて開閉可能に連結され、口栓部材の天板に開口する抽出口を液密に覆う蓋部材とを備えた飲料用容器の栓体では、ヒンジと反対側に、蓋部材の閉状態の保持と、該閉状態の解除とを行うロック機構を設けたものがある。
【０００３】
このロック機構は、口栓部材に設けられるシーソー式のロックボタンと係止環と、蓋部材に設けられる前記ロックボタンに係合する係合片と、前記係止環を係止させる係止リブとを有したもので、閉位置に回動した蓋部材の係合片にロックボタンが係合し、さらに係止リブに係止環を掛け止めすることによって蓋部材の閉状態が保持される。また蓋部材を開ける際には、係止リブに掛け止めした係止環を外し、ロックボタンの下端側を押して該ロックボタンと係合片との係合を解除することにより、蓋部材が付勢手段によって開方向へ付勢されるようになっている（例えば、特許文献１参照）。
【特許文献１】特開２００３−２１２２５８号公報
【発明の開示】
【発明が解決しようとする課題】
【０００４】
しかし、上述のものでは、蓋部材を開閉させる際には、先ず係止環を係止リブから外したり、係合させたりしなくてはならないため、蓋部材の開閉に手間が掛かり、また、ロックボタンの周囲に係止リブや係止環が配設されることから、見栄えが悪くなっていた。さらに、係止環は周囲の物に引っ掛かり易く、不用意に係止リブから外れてしまう虞があった。
【０００５】
そこで本発明は、蓋部材の開閉を簡単に行うことができると共に、デザイン性に優れ、かつ蓋部材の閉状態を確実に保持することのできる飲料用容器の栓体を提供することを目的としている。
【課題を解決するための手段】
【０００６】
上記の目的を達成するため本発明は、容器本体の上部開口に装着される口栓部材と、該口栓部材にヒンジにて開閉可能に連結され、口栓部材の天板に開口する抽出口を液密に覆う蓋部材とを備え、前記ヒンジと反対側に、前記蓋部材の閉状態の保持と解除とを行うロック機構を備えた飲料容器の栓体において、前記ロック機構は、前記蓋部材の回動端に設けられた係合片と、前記口栓部材の外面部に設けた軸部材により軸支されて口栓部材の内外方向に回動可能に取り付けられたロックボタンと、口栓部材の外周壁にスライド可能に設けられたスライド式ストッパとを備え、前記ロックボタンは、上部に前記係合片が係脱可能な係合部を有するとともに、該係合部を前記係止片との係合方向に付勢する付勢手段を有し、前記スライド式ストッパは、前記ロックボタンの下部と口栓部材の外周壁との間に挿入されたときに前記ロックボタンのロック解除方向への動きを規制するストッパ片と、該ストッパ片の挿入位置と非挿入位置とに該スライド式ストッパをそれぞれ保持する係止部とを有していることを特徴としている。
【０００７】
また、前記ロックボタンの前記係止片と当接する上端面を、外周側又は内周側に向けて下降するテーパー状に形成してもよく、さらに、前記蓋部材を開方向へ付勢する付勢手段を備えると好適である。
【発明の効果】
【０００８】
第１の発明により、ロックボタンと蓋部材の係合片を係合させ、スライド式ストッパを上方にスライドさせて、スライド式ストッパの上部をロックボタンの下部と容器本体の外周壁との間に挿入させることによって、ロックボタンの回動を規制し、蓋部材の閉状態を良好に保持することができる。またロックボタンを下方にスライドさせて、ロックボタンの下部を内側に押すことによって、ロックボタンと蓋部材の係合片との係合が解除され、蓋部材を簡単に開けることができる。スライド式ストッパとロックボタンとは、１本の指で簡単に操作することができ、蓋部材の開閉を簡単に行えるとともに、外観もシンプルなものとなるため、デザイン性にも優れたものとなる。
【０００９】
第２の発明により、開いた状態の蓋部材を閉方向に押圧すると、係合片がロックボタンのテーパー状の上端面にガイドされながら下降するとともに、ロックボタンの上部が口栓部材の外側に回動することによって、係合片がロックボタンに係合すると同時に、ロックボタンの係合部が付勢手段によって前記係止片との係合方向に付勢されることから、係合片と係合溝との係合が保持され、蓋部材を簡単に閉じることができる。
【００１０】
第３の発明により、ロックボタンと蓋部材の係合片との係合を解除すると、付勢手段によって蓋部材を自動的に開けることができる。
【発明を実施するための最良の形態】
【００１１】
以下、本発明を携帯用の魔法瓶に適用した各形態例を、図面に基づいて説明する。図１乃至図４は、本発明の第１形態例を示すもので、魔法瓶１は、金属製の容器本体２と、該容器本体２の上部開口に装着される合成樹脂製の栓体３とを備えている。栓体３は、口栓部材４と、該口栓部材４にヒンジ５にて開閉可能に連結され、口栓部材４の天板４ａに開口する抽出口４ｂを液密に覆う蓋部材６とを備えたもので、ヒンジ５の反対側には、蓋部材６の閉状態の保持と解除とを行うロック機構７を有している。容器本体２は、内筒２ａと外筒２ｂの上部開口縁を一体に接合し、内筒２ａと外筒２ｂとの間に真空の断熱層２ｃを形成した断熱二重構造で、外筒２ｂの上部外周には、口栓部材４を螺着するための雄ねじ２ｄが形成されている。
【００１２】
ロック機構７は、前記蓋部材６の回動端外面に設けられた係合片８と、口栓部材４の外面部に設けた軸部材９により中間部が軸支されて口栓部材４の内外方向に回動可能に取り付けられたシーソー式のロックボタン１０と、口栓部材４の外周壁にスライド可能に設けられたスライド式ストッパ１１とを備えている。
【００１３】
ロックボタン１０は、上部内面に前記係合片８が係脱可能な係合溝１２が形成されるとともに、上端面１０ａは、内側に向けて下降するテーパー状に形成されている。また軸部材９よりも下方のロックボタン１０の裏面と口栓部材４との間には、前記係合溝１２を前記係止片１０との係合方向に付勢するスプリング１３（付勢手段）が縮設されている。
【００１４】
スライド式ストッパ１１は、口栓部材４の外面に突設されたガイドリブ１４に案内されて上下方向にスライド可能に設けられるもので、ロックボタン１０の下部と口栓部材４の外周壁との間に挿入されたときにロックボタン１０のロック解除方向への動きを規制するストッパ片１１ａを有し、外面には摘み片１１ｂが突設されている。スライド式ストッパ１１の裏面には、ストッパ片１１ａの挿入位置と非挿入位置とにスライド式ストッパ１１をそれぞれ保持する突部１１ｃ（係止部）が設けられている。
【００１５】
口栓部材４は、外筒２ｂの上部外周を囲繞する筒状部４ｃの上面に、容器本体２の上部開口を覆う天板４ａを設けた逆有底筒状に形成され、筒状部４ｃの内周には、前記雄ねじ２ｄに螺着される雌ねじ４ｄが形成されている。筒状部４ｃの一側部側には、前記ガイドリブ１４が突設されるとともに、前記突部１１ｃと係合して、スライド式ストッパ１１を、ストッパ片１１ａの挿入位置と非挿入位置とにそれぞれ保持させる上部突片４ｅと下部突片４ｆとを備えている。天板４ａの一側部側には、飲み口１５が形成され、天板４ａの他側部側には、ヒンジ５の構成部材であるヒンジ用リブ１６が突設されている。飲み口１５は、天板４ａから利用者が口に含むのに適した太さで、蓋部材６に覆われる高さの略円柱状に突設されており、その内部を飲料の注出口４ｂとしている。
【００１６】
蓋部材６は、口栓部材４の筒状部４ｃの上側に連続する筒状部６ａと、該筒状部６ａの上面を閉塞する天板６ｂとから成る逆有底筒状に形成され、ロック機構７が位置する一側部側が高く、ヒンジ５が位置する他側部側が低い傾斜形状となっている。筒状部６ａは、回動端下面にロック機構７の構成部材である係合片８が外周側に突設され、該係合片８の先端側下面８ａは、外周側が上昇するテーパー状に形成されている。筒状部６ａの他側部には、ヒンジ５を構成する二股腕と開蓋状態を保持する爪片６ｃとが形成され、天板６ｂの内側には、パッキン１７と弾性部材（付勢手段）１８とが設けられている。パッキン１７は、飲み口１５の上端面よりも大径な球面状に形成されており、蓋部材６を閉じた際には、飲み口１５の上端面に弾接して飲み口１５を液密にシールするようになっている。弾性部材１８は、シリコン等の軟質合成樹脂やゴム等の非金属製材料で有底円筒状に形成されており、開口部を天板６ｂの内面に突設した円筒状のボス部に嵌合して蓋部材６に装着されている。この弾性部材１８の長さは、蓋部材６が閉じる位置よりもやや手前に回動した時点で、その下端が口栓部材４の天板４ａに当接するよう設定されており、蓋部材６を閉じた際には、弾性部材１８が軸方向に圧縮される。また、ロック機構７によって蓋部材６の閉状態を解除した際には、弾性部材１８が軸方向に伸張して蓋部材６を開方向へ弾発する。
【００１７】
前記ヒンジ５は、口栓部材４のヒンジ用リブ１６を蓋部材６の二股腕で挟み、これらにヒンジ軸１９を挿通することによって構成され、蓋部材６は、このヒンジ５によって、口栓部材４の上部に開閉可能に組み付けされる。ヒンジ用リブ１６の外面には、係合リブ１６ａが形成されており、天板６ｂの爪片６ｃが係合リブ１６ａに係合して、蓋部材６を１８０度以上の開位置に保持するようになっている。
【００１８】
上述のように構成された魔法瓶１は、開いた状態の蓋部材６を閉方向に押圧すると、蓋部材６の係合片８は、テーパー状に形成された先端側下面８ａが、ロックボタン１０のテーパー状の上端面１０ａにガイドされながら下降する。これにより、ロックボタン１０の上部が口栓部材４の外側に回動し、係合片８を係合溝１２に係合させるとともに、ロックボタン１０の上部がスプリング１３によって、口栓部材４の内方向に付勢されることから、係合片８と係合溝１２との係合を保持し、蓋部材６を簡単に閉じることができる。
【００１９】
次いで、スライド式ストッパ１１を上方にスライドさせ、ロックボタン１０の下部と容器本体２の外周壁との間にストッパ片１１ａを挿入させ、突部１１ｃを筒状部４ｃに形成した上部突片４ｅの上部に係合させる。これにより、ロックボタン１０は回動が規制されるとともに、突部１１ｃと上部突片４ｅとの係合によって、ストッパ片１１ａの挿入位置を保持することから、係合片８と係合溝１２との係合状態が確実に保持され、蓋部材６が不用意に開くことがない。
【００２０】
蓋部材６を開けて飲料を飲む場合には、スライド式ストッパ１１を下方にスライドさせ、ロックボタン１０の下部と容器本体２の外周壁との間からストッパ片１１ａを外し、突部１１ｃを下部突片４ｆより下方に配置させる。ロックボタン１０の下部を、スプリング１３の弾発力に抗して内側に押し、ロックボタン１０の上部を外側に回動させて、係合片８と係合溝１２との係合を解除する。これにより、蓋部材６が弾性部材１８の弾発力によって開口方向へ付勢されて開く。蓋部材６は、爪片６ｃと係合リブ１６ａとの係合によってロックされ、口栓部材４の上方が開放される。スライド式ストッパ１１のスライドは、例えば摘み片１１ｂを親指１本で上下動させることによって行われ、ロックボタン１０の押動も親指１本で行うことができるので、蓋部材６を簡単に開けることができる。
【００２１】
また、従来のように係止環が設けられることがないので、ワンタッチで簡単且つ確実に蓋部材を開閉させることができるとともに、外観がシンプルになり、デザイン的に優れた物となる。
【００２２】
図５は、本発明の第２形態例を示すもので、第１形態例と同一箇所には同一の符号を付して、その詳細な説明は省略する。本形態例のロック機構２０は、蓋部材６の回動端内面に設けられた係合片２１と、口栓部材４の外面部に設けた軸部材２２により下部が軸支され、上部を口栓部材４の内外方向に回動可能に設けたロックボタン２３と、口栓部材４の外周壁にスライド可能に設けられたスライド式ストッパ２４とを備えている。
【００２３】
係合片２１は、回動端内面に突設され、該係合片２１の先端側下面２１ａは、外周側が下降するテーパー状に形成されている。ロックボタン２３は、上部外面に前記係合片２１が係脱可能な係合部２５が突設され、その上端面２５ａは、外側に向けて下降するテーパー状に形成されている。また係合部２５の下方には、前記係合片２１を容器本体２の外周から突出することなく収容できるように、傾斜面２５ｂが形成される。軸部材２２よりも上方のロックボタン２３の裏面と口栓部材４との間には、前記係合部２５を前記係止片２１との係合方向に付勢するスプリング２６が縮設されている。
【００２４】
スライド式ストッパ２４は、口栓部材４の外面に突設されたガイドリブ１４に案内されて上下方向にスライド可能に設けられ、ロックボタン２３の下部と口栓部材４の外周壁との間に挿入されたときにロックボタン２３のロック解除方向への動きを規制するストッパ片２４ａを有し、外面には摘み片２４ｂが突設されている。スライド式ストッパ２４の裏面には、ストッパ片２４ａの挿入位置と非挿入位置とにスライド式ストッパ２４をそれぞれ保持する突部２４ｃが設けられている。
【００２５】
上述のロック機構２０では、開いた状態の蓋部材６を閉方向に押圧すると、蓋部材６の係合片２１は、テーパー状に形成された先端側下面２１ａが、ロックボタン２３のテーパー状の上端面２５ａにガイドされながら下降する。これにより、ロックボタン２３の上部が口栓部材４の内側に回動し、先端側下面２１ａと傾斜面２５ｂとが当接し、係合片２１を係合部２５に係合させるとともに、ロックボタン２３の上部がスプリング２６によって、口栓部材４の外方向に付勢されることから、係合片２１と係合部２５との係合を保持し、蓋部材６を簡単に閉じることができる。
【００２６】
次いで、スライド式ストッパ２４を上方にスライドさせ、ロックボタン２３の下部と容器本体２の外周壁との間にストッパ片２４ａを挿入させ、突部２４ｃを筒状部４ｃに形成した上部突片４ｅの上部に係合させる。これにより、ロックボタン２３は回動が規制されるとともに、突部２４ｃと上部突片４ｅとの係合によって、ストッパ片２４ａの挿入位置を保持することから、係合片２１と係合部２５との係合状態が確実に保持され、蓋部材６が不用意に開くことがない。
【００２７】
蓋部材６を開けて飲料を飲む場合には、スライド式ストッパ２４を下方にスライドさせ、ロックボタン２３の下部と容器本体２の外周壁との間からストッパ片２４ａを外し、突部２４ｃを下部突片４ｆより下方に配置させる。ロックボタン２３の軸部材２２よりやや上方を、スプリング２６の弾発力に抗して内側に押し、ロックボタン２３の上部を内側に回動させ、係合片２１と係合部２５との係合を解除して、蓋部材６を開く。
【００２８】
尚、本発明は上述の形態例のように、携帯用の魔法瓶に適用するものに限らず、直飲みタイプ以外のどのような飲料用容器にも適用することができる。
【図面の簡単な説明】
【００２９】
【図１】本発明の第１形態例を示す栓体の蓋部材が閉じた状態の要部断面図
【図２】同じく蓋部材が開いた状態を示す要部断面図
【図３】スライド式ストッパを上方にスライドさせた状態を示す要部正面図
【図４】スライド式ストッパを下方にスライドさせた状態を示す要部正面図
【図５】本発明の第２形態例を示す栓体の蓋部材が閉じた状態の要部断面図
【符号の説明】
【００３０】
１…魔法瓶、２…容器本体、２ａ…内筒、２ｂ…外筒、２ｃ…断熱層、２ｄ…雄ねじ、３…栓体、４…口栓部材、４ａ…天板、４ｂ…抽出口、４ｃ…筒状部、４ｄ…雌ねじ、４ｅ…上部突片、４ｆ…下部突片、５５…ヒンジ、６…蓋部材、６ａ…筒状部、６ｂ…天板、６ｃ…爪片、７，２０…ロック機構、８，２１…係合片、８ａ，２１ａ…先端側下面、９，２２…軸部材、１０，２３…ロックボタン、１０ａ，２３ａ…上端面、１１，２４…スライド式ストッパ、１１ａ，２４ａ…ストッパ片、１１ｂ，２４ｂ…摘み片、１１ｃ，２４ｃ…突部、１２…係合溝、１３，２６…スプリング、１４…ガイドリブ、１５…飲み口、１６…ヒンジ用リブ、１６ａ…係合リブ、１７…パッキン、１８…弾性部材、１９…ヒンジ軸、２５…係合部
【図１】
2005193944.tif 000003
【図２】
2005193944.tif 000004
【図３】
2005193944.tif 000005
【図４】
2005193944.tif 000006
【図５】
2005193944.tif 000007
【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
容器本体の上部開口に装着される口栓部材と、該口栓部材にヒンジにて開閉可能に連結され、口栓部材の天板に開口する注出口を液密に覆う蓋部材とを備え、前記ヒンジと反対側に、前記蓋部材の閉状態の保持と解除とを行うロック機構を備えた飲料容器の栓体において、前記ロック機構は、前記蓋部材の回動端に設けられた係合片と、前記口栓部材の外面部に設けた軸部材により軸支されて口栓部材の内外方向に回動可能に取り付けられたロックボタンと、口栓部材の外周壁にスライド可能に設けられたスライド式ストッパとを備え
、前記ロックボタンは、上部に前記係合片が係脱可能な係合部を有するとともに、該係合部を前記係止片との係合方向に付勢する付勢手段を有し、前記スライド式ストッパは、前記ロックボタンの下部と口栓部材の外周壁との間に挿入されたときに前記ロックボタンのロック解除方向への動きを規制するストッパ片と、該ストッパ片の挿入位置と非挿入位置とに該スライド式ストッパをそれぞれ保持する係止部とを有していることを特徴とする飲料用容器の栓体。
【請求項２】
前記ロックボタンの前記係止片と当接する上端面を、外周側又は内周側に向けて下降するテーパー状に形成することを特徴とする請求項1記載の飲料用容器の栓体。
【請求項３】
前記蓋部材を開方向へ付勢する付勢手段を備えていることを特徴とする請求項１記載の飲料用容器の栓体。
【手続補正２】
【補正対象書類名】明細書
【補正対象項目名】全文
【補正方法】変更
【補正の内容】
【発明の詳細な説明】
【技術分野】
【０００１】
本発明は、携帯用魔法瓶、水筒、スポーツドリンク用容器をはじめとする各種飲料用容器の栓体に係り、特に、使用時に蓋体をワンタッチで開くことのできる飲料容器の栓体に関する。
【背景技術】
【０００２】
従来、容器本体の上部開口に装着される口栓部材と、該口栓部材にヒンジにて開閉可能に連結され、口栓部材の天板に開口する注出口を液密に覆う蓋部材とを備えた飲料用容器の栓体では、ヒンジと反対側に、蓋部材の閉状態の保持と、該閉状態の解除とを行うロック機構を設けたものがある。
【０００３】
このロック機構は、口栓部材に設けられるシーソー式のロックボタンと係止環と、蓋部材に設けられる前記ロックボタンに係合する係合片と、前記係合環を係止させる係止リブとを有したもので、閉位置の回動した蓋部材の係合片にロックボタンが係合し、さらに係止リブに係止環を掛け止めすることによって蓋部材の閉状態が保持される。また蓋部材を開ける際には、係止リブに掛け止めした係止環を外し、ロックボタンの下端側を押して該ロックボタンと係合片との係合を解除することにより、蓋部材が付勢手段によって開方向へ付勢されるようになっている（例えば、特許文献１参照）。
【特許文献１】特開２００３−２１２２５８号公報
【発明の開示】
【発明が解決しようとする課題】
【０００４】
しかし、上述のものでは、蓋部材を開閉させる際には、先ず係止環を係止リブから外したり、係合させたりしなくてはならないため、蓋部材の開閉に手間が掛かり、また、ロックボタンの周囲に係止リブや係止環が配設されることから、見栄えが悪くなっていた。さらに、係止環は周囲の物に引っ掛かり易く、不用意に係止リブから外れてしまう虞があった。
【０００５】
そこで本発明は、蓋部材の開閉を簡単に行うことができると共に、デザイン性に優れ、かつ蓋部材の閉状態を確実に保持することのできる飲料用容器の栓体を提供することを目的としている。
【課題を解決するための手段】
【０００６】
上記の目的を達成するため本発明は、容器本体の上部開口に装着される口栓部材と、該口栓部材にヒンジにて開閉可能に連結され、口栓部材の天板に開口する注出口を液密に覆う蓋部材とを備え、前記ヒンジと反対側に、前記蓋部材の閉状態の保持と解除とを行うロック機構を備えた飲料容器の栓体において、前記ロック機構は、前記蓋部材の回動端に設けられた係合片と、前記口栓部材の外面部に設けた軸部材により軸支されて口栓部材の内外方向に回動可能に取り付けられたロックボタンと、口栓部材の外周壁にスライド可能に設けられたスライド式ストッパとを備え、前記ロックボタンは、上部に前記係合片が係脱可能な係合部を有するとともに、該係合部を前記係止片との係合方向に付勢する付勢手段を有し、前記スライド式ストッパは、前記ロックボタンの下部と口栓部材の外周壁との間に挿入されたときに前記ロックボタンのロック解除方向への動きを規制するストッパ片と
、該ストッパ片の挿入位置と非挿入位置とに該スライド式ストッパをそれぞれ保持する係止部とを有していることを特徴としている。
【０００７】
また、前記ロックボタンの前記係止片と当接する上端面を、外周側又は内周側に向けて下降するテーパー状に形成してもよく、さらに、前記蓋部材を開方向へ付勢する付勢手段を備えると好適である。
【発明の効果】
【０００８】
第１の発明により、ロックボタンと蓋部材の係合片を係合させ、スライド式ストッパを上方にスライドさせて、スライド式ストッパの上部をロックボタンと下部の容器本体の外周壁との間に挿入させることによって、ロックボタンの回動を規制し、蓋部材の閉状態を良好に保持することができる。またロックボタンを下方にスライドさせて、ロックボタンの下部を内側に押すことによって、ロックボタンと蓋部材の係合片との係合が解除され、蓋部材を簡単に開けることができる。スライド式ストッパとロックボタンとは、１本の指で簡単に操作することができ、蓋部材の開閉を簡単に行えるとともに、外観もシンプルなものとなるため、デザイン性にも優れたものとなる。
【０００９】
第２の発明により、開いた状態の蓋部材を閉方行に押圧すると、係合片がロックボタンのテーパー状の上端面にガイドされながら下降するとともに、ロックボタンの上部が口栓部材の外側に回動することによって、係合片がロックボタンに係合すると同時に、ロックボタンの係合部が付勢手段によって前記係止片との係合方向に付勢されることから、係合片と係合溝との係合が保持され、蓋部材を簡単に閉じることができる。
【００１０】
第３の発明により、ロックボタンと蓋部材の係合片との係合を解除すると、付勢手段によって蓋部材を自動的に開けることができる。
【発明を実施するための最良の形態】
【００１１】
以下、本発明を携帯用の魔法瓶に適用した各形態例を、図面に基づいて説明する。図１乃至図４は、本発明の第１形態例を示すもので、魔法瓶１は、金属性の容器本体２と、該容器本体２の上部開口に装着される合成樹脂性の栓体３とを備えている。栓体３は、口栓部材４と、該口栓部材４にヒンジ５にて開閉可能に連結され、口栓部材４の天板４ａに開口する注出口４ｂを液密に覆う蓋部材６とを備えたもので、ヒンジ５の反対側には、蓋部材６の閉状態の保持と解除とを行うロック機構７を有している。容器本体２は、内筒２ａと外筒２ｂの上部開口縁を一体に接合し、内筒２ａと外筒２ｂとの間に真空の断熱層２ｃを形成した断熱二重構造で、外筒２ｂの上部外周には、口栓部材４を螺着するための雄ねじ２ｄが形成されている。
【００１２】
ロック機構７は、前記蓋部材６の回動端外面に設けられた係合片８と、口栓部材４の外面部に設けた軸部材９により中間部が軸支されて口栓部材４の内外方向に回動可能に取り付けられたシーソー式のロックボタン１０と、口栓部材４の外周壁にスライド可能に設けられたスライド式ストッパ１１とを備えている。
【００１３】
ロックボタン１０は、上部内面に前記係合片８が係脱可能な係合溝１２が形成されるとともに、上端面１０ａは、内側に向けて下降するテーパー状に形成されている。また軸部材９よりも下方のロックボタン１０の裏側と口栓部材４との間には、前記係合溝１２を前記係止片１０との係合方向に付勢するスプリング１３（付勢手段）が縮設されている。
【００１４】
スライド式ストッパ１１は、口栓部材４の外面に突設されたガイドリブ１４に案内されて上下方向にスライド可能に設けられるもので、ロックボタン１０の下部と口栓部材４の外周壁との間に挿入されたときにロックボタン１０のロック解除方向への動きを規制するストッパ片１１ａを有し、外面には摘み片１１ｂが突設されている。スライド式ストッパ１１の裏面には、ストッパ片１１ａの挿入位置と非挿入位置とにスライド式ストッパ１１をそれぞれ保持する突部１１ｃ（係止部）が設けられている。
【００１５】
口栓部材４は、外筒２ｂの上部外周を囲繞する筒状部４ｃの上面に、容器本体２の上部開口を覆う天板４ａを設けた逆有底筒状に形成され、筒状部４ｃの内周には、前記雄ねじ２ｄに螺着される雌ねじ４ｄが形成されている。筒状部４ｃの一側部側には、前記ガイドリブ１４が突設されるとともに、前記突部１１ｃと係合して、スライド式ストッパ１１を
、ストッパ片１１ａの挿入位置と非挿入位置とにそれぞれ保持させる上部突片４ｅと下部突片４ｆとを備えている。天板４ａの一側部側には、飲み口１５が形成され、天板４ａの他側部側には、ヒンジ５の構成部材であるヒンジ用リブ１６が突設されている。飲み口１５は、天板４ａから利用者が口に含むのに適した太さで、蓋部材６に覆われる高さの略円柱状に突設されており、その内部を飲料の注出口４ｂとしている。
【００１６】
蓋部材６は、口栓部材４の筒状部４ｃの上側に連続する筒状部６ｃと、該筒状部６ａの上面を閉塞する天板６ｂとからなる逆有底筒状に形成され、ロック機構７が位置する一側部側が高く、ヒンジ５が位置する他側部側が低い傾斜形状となっている。筒状部６ａは、回動端下面にロック機構７の構成部材である係合片８が外周側に突設され、該係合片８の先端側下面８ａは、外周側が上昇するテーパー状に形成されている。筒状部６ａの他側部には、ヒンジ５を構成する二股腕と開蓋状態を保持する爪片６ｃとが形成され、天板６ｂの内側には、パッキン１７と弾性部材（付勢手段）１８とが設けられている。パッキン１７は、飲み口１５の上端面よりも大径な球面状に形成されており、蓋部材６を閉じた際には、飲み口１５の上端面に弾接して飲み口１５を液密にシールするようになっている。弾性部材１８は、シリコン等の軟質合成樹脂やゴム等の非金属製材料で有底円筒状に形成されており、開口部を天板６ｂの内面に突設した円筒状のボス部に嵌合して蓋部材６に装着されている。この弾接部材１８の長さは、蓋部材６が閉じる位置よりもやや手前に回動した時点で、その下端が口栓部材４の天板４ａに当接するよう設計されており、蓋部材６を閉じた際には、弾接部材１８が軸方向に圧縮される。また、ロック機構７によって蓋部材６の閉状態を解除した際には、弾接部材１８が軸方向に伸張して蓋部材６を開方向へ弾発する。
【００１７】
前記ヒンジ５は、口栓部材４のヒンジ用リブ１６を蓋部材６の二股腕で挟み、これらにヒンジ軸１９を挿通することによって構成され、蓋部材６は、このヒンジ５によって、口栓部材４の上部に開閉可能に組み付けされる。ヒンジ用リブ１６の外面には、係合リブ１６ａが形成されており、天板６ｂの爪片６ｃが係合リブ１６ａに係合して、蓋部材６を１８０度以上の開位置に保持するようになっている。
【００１８】
上述のように構成された魔法瓶１は、開いた状態の蓋部材６を閉方行に押圧すると、蓋部材６の係合片８は、テーパー状に形成された先端側下面８ａが、ロックボタン１０のテーパー状の上面端１０ａにガイドされながら下降する。これにより、ロックボタン１０の上部が口栓部材４の外側に回動し、係合片８を係合溝１２に係合させるとともに、ロックボタン１０の上部がスプリング１３によって、口栓部材４の内方向に付勢されることから
、係合片８と係合溝１２との係合を保持し、蓋部材６を簡単に閉じることができる。
【００１９】
次いで、スライド式ストッパ１１を上方にスライドさせ、ロックボタン１０の下部と容器本体２の外周壁との間にストッパ片１１ａを挿入させ、突部１１ｃを筒状部４ｃに形成した上部突片４ｅの上部に係合させる。これにより、ロックボタン１０は回動が規制されるとともに、突部１１ｃと上部突片４ｅとの係合によって、ストッパ片１１ａの挿入位置を保持することから、係合片８と係合溝１２との係合状態が確実に保持され、蓋部材６が不用意に開くことがない。
【００２０】
蓋部材６を開けて飲料を飲む場合には、スライド式ストッパ１１を下方にスライドさせ
、ロックボタン１０の下部と容器本体２の外周壁との間からストッパ片１１ａを外し、突部１１ｃを下部突片４ｆより下方に配置させる。ロックボタン１０の下部を、スプリング１３の弾発力に抗して内側に押し、ロックボタン１０の上部を外側に回動させて、係合片８と係合溝１２との係合を解除する。これにより、蓋部材６が弾性部材１８の弾発力によって開口方向へ付勢されて開く。蓋部材６は、爪片６ｃと係合リブ１６ａとの係合によってロックされ、口栓部材４の上方が開放される。スライド式ストッパ１１のスライドは、例えば摘み片１１ｂを親指１本で上下動させることによって行われ、ロックボタン１０の押動も親指１本で行うことができるので、蓋部材６を簡単に開けることができる。
【００２１】
また、従来のように係止環が設けられることがないので、ワンタッチで簡単且つ確実に蓋部材を開閉させることができるとともに、外観がシンプルになり、デザイン的に優れた物となる。
【００２２】
図５は、本発明の第２形態例を示すもので、第１形態例と同一箇所には同一の符号を付して、その詳細な説明は省略する。本形態例のロック機構２０は、蓋部材６の回動端面内に設けられた係合片２１と、口栓部材４の外面部に設けた軸部材２２により下部が軸支され、上部を口栓部材４の内外方向に回動可能に設けたロックボタン２３と、口栓部材４の外周壁にスライド可能に設けられたスライド式ストッパ２４とを備えている。
【００２３】
係合片２１は、回動端内面に突設され、該係合片２１の先端側下面２１ａは、外周側が下降するテーパー状に形成されている。ロックボタン２３は、上部外面に前記係合片２１が係脱可能な係合部２５が突設され、その上端面２５ａは、外側に向けて下降するテーパー状に形成されている。また係合部２５の下方には、前記係合片２１を容器本体２の外周から突出することなく収容できるように、傾斜面２５ｂが形成される。軸部材２２よりも上方のロックボタン２３の裏面と口栓部材４との間には、前記係合部２５を前記係止片２１との係合方向に付勢するスプリング２６が縮設されている。
【００２４】
スライド式ストッパ２４は、口栓部材４の外面に突設されたガイドリブ１４に案内されて上下方向にスライド可能に設けられ、ロックボタン２３の下部と口栓部材４の外周壁との間に挿入されたときにロックボタン２３のロック解除方向への動きを規制するストッパ片２４aを有し、外面には摘み片２４ｂが突設されている。スライド式ストッパ２４の裏面には、ストッパ片２４aの挿入位置と非挿入位置とにスライド式ストッパ２４をそれぞれ保持する突部２４ｃが設けられている。
【００２５】
上述のロック機構２０では、開いた状態の蓋部材６を閉方向に押圧すると、蓋部材６の係合片２１は、テーパー状に形成された先端側下面２１ａが、ロックボタン２３のテーパー状の上端面２５ａにガイドされながら下降する。これにより、ロックボタン２３の上部が口栓部材４の内側に回動し、先端側下面２１ａと傾斜面２５ｂとが当接し、係合片２１を係合部２５に係合させるとともに、ロックボタン２３の上部がスプリング２６によって
、口栓部材４の外方向に付勢されることから、係合片２１と係合部２５との係合を保持し
、蓋部材６を簡単に閉じることができる。
【００２６】
次いで、スライド式ストッパ２４を上方にスライドさせ、ロックボタン２３の下部と容器本体２の外周壁との間にストッパ片２４aを挿入させ、突部２４ｃを筒状部４ｃに形成した上部突片４ｅの上部に係合させる。これにより、ロックボタン２３は回動が規制されるとともに、突部２４ｃと上部突片４ｅとの係合によって、ストッパ片２４ａの挿入位置を保持することから、係合片２１と係合部２５との係合状態が確実に保持され、蓋部材６が不用意に開くことがない。
【００２７】
蓋部材６を開けて飲料を飲む場合には、スライド式ストッパ２４を下方にスライドさせ
、ロックボタン２３の下部と容器本体２の外周壁との間からストッパ片２４aを外し、突部２４ｃを下部突片４ｆより下方に配置される。ロックボタン２３の軸部材２２よりやや上方を、スプリング２６の弾発力に抗して内側に押し、ロックボタン２３の上部を内側に回動させ、係合片２１と係合部２５との係合を解除して、蓋部材６を開く。
【００２８】
尚、本発明は上述の形態例のように、携帯用の魔法瓶に適用するものに限らず、直飲みタイプ以外のどのような飲料用容器にも適用することができる。
【図面の簡単な説明】
【００２９】
【図１】本発明の第１形態例を示す栓体の蓋部材が閉じた状態の要部断面図
【図２】同じく蓋部材が開いた状態を示す要部断面図
【図３】スライド式ストッパを上方にスライドさせた状態を示す要部正面図
【図４】スライド式ストッパを下方にスライドさせた状態を示す要部正面図
【図５】本発明の第２形態例を示す栓体の蓋部材が閉じた状態の要部断面図
【符号の説明】
【００３０】
１・・・魔法瓶、２・・・容器本体、２ａ・・・内筒、２ｂ・・・外筒、２ｃ・・・断熱層、２ｄ・・・雄ねじ、３・・・栓体、４・・・口栓部材、４ｂ・・・注出口、４ｃ・・・筒状部、４ｄ・・・雌ねじ、４ｅ・・・上部突片、４ｆ・・・下部突片、５５・・・ヒンジ、６・・・蓋部材、６ａ・・・筒状部、６・・・天板、６ｃ・・・爪片、７，２０・・・ロック機構、８，２１・・・係合片、８ａ，２１ａ・・・先端側下面、９，２２・・・軸部材、１０，２３・・・ロックボタン、１０ａ，２３a・・・上端面、１１，２４・・・スライド式ストッパ、１１ａ，２４ａ・・・ストッパ片、１１ｂ，２４ｂ・・・摘み片、１１ｃ，２４ｃ・・・突部、１２・・・係合片、１３，２６・・・スプリング、１４・・・ガイドリブ、１５・・・飲み口、１６・・・ヒンジ用リブ、１６ａ係合リブ、１７・・・パッキン、１８・・・弾性部材、１９・・・ヒンジ軸、２５・・・係合部